(57)【要約】【課題】集約印刷されたページ画像を再分割しても、元来のセキュリティレベルを正確に表示することができるようにする。【解決手段】複数の媒体のページ画像を単数の媒体に集約印刷する場合、複数の媒体のページ画像に含まれるセキュリティ表示コードが示すセキュリティレベルのうちで最も高いセキュリティレベルを示すキュリティ表示コードを生成し、集約印刷された媒体のページ画像を複数の媒体に分割印刷する場合、元来のページ画像に含まれるキュリティ表示コードが示すセキュリティレベルを示すキュリティ表示コードを生成する。【選択図】図１
2016132144.tif 000002
【特許請求の範囲】
【請求項１】
（ａ）媒体のページ画像を読み取る画像読取部と、
（ｂ）前記ページ画像に含まれるセキュリティ表示コードを読み取るコード読取部と、
（ｃ）前記ページ画像を集約印刷及び分割印刷するための画像処理を行う画像処理部と、
（ｄ）前記ページ画像に含まれるセキュリティ表示コードを生成するコード生成部と、
（ｅ）前記画像処理部が画像処理を行ったページ画像と前記コード生成部が生成したセキュリティ表示コードとを合成して媒体に印刷する印刷部と、
（ｆ）前記画像読取部、コード読取部、画像処理部、コード生成部及び印刷部の動作を制御する制御部とを備える画像形成装置であって、
（ｇ）前記制御部は、複数の媒体のページ画像を単数の媒体に集約印刷する場合、前記複数の媒体のページ画像に含まれるセキュリティ表示コードが示すセキュリティレベルのうちで最も高いセキュリティレベルを示すセキュリティ表示コードを前記コード生成部に生成させ、集約印刷された媒体のページ画像を複数の媒体に分割印刷する場合、元来のページ画像に含まれるセキュリティ表示コードが示すセキュリティレベルを示すセキュリティ表示コードを前記コード生成部に生成させることを特徴とする画像形成装置。
【請求項２】
複数の媒体のページ画像を単数の媒体に集約印刷する場合、前記複数の媒体のページ画像は、前記単数の媒体の片面又は両面に印刷される請求項１に記載の画像形成装置。
【請求項３】
前記画像読取部が読み取ったページ画像及び前記コード読取部が読み取ったセキュリティ表示コードを記憶して保存する記憶部を更に備える請求項１又は２に記載の画像形成装置。
【請求項４】
前記制御部は、集約印刷された媒体のページ画像を複数の媒体に分割印刷する場合、該複数の媒体の各々に複数のページ画像を印刷するときは、該複数のページ画像の元来のページ画像に含まれるセキュリティ表示コードが示すセキュリティレベルのうちで最も高いセキュリティレベルを示すセキュリティ表示コードを前記コード生成部に生成させる請求項１〜３のいずれか１項に記載の画像形成装置。
【請求項５】
前記制御部は、ページ画像が印刷される媒体全体のセキュリティレベルを示すセキュリティ表示コードを前記コード生成部に生成させる請求項１〜４のいずれか１項に記載の画像形成装置。
【請求項６】
前記セキュリティレベルは、印刷可能、印刷のときに印刷の可否を要確認、又は、印刷不可である請求項１〜５のいずれか１項に記載の画像形成装置。
【請求項７】
前記セキュリティ表示コードは二次元コードである請求項１〜６のいずれか１項に記載の画像形成装置。
【発明の詳細な説明】
【技術分野】
【０００１】
本発明は、画像形成装置に関するものである。
【背景技術】
【０００２】
従来、コピー機、複合型プリンタ（ＭＦＰ：Ｍｕｌｔｉ  Ｆｕｎｃｔｉｏｎ  Ｐｒｉｎｔｅｒ）等の画像形成装置においては、複数枚の原稿を縮小コピーして１つの用紙に集約する場合、コピー許可、コピー禁止等のセキュリティレベルを示す二次元コードが、それぞれの原稿に付加されているときには、各二次元コードが示す複数段階のセキュリティレベルの１つのセキュリティレベルを示す二次元コードを選択し、選択した二次元コードを用紙に印刷するようになっている（例えば、特許文献１参照。）。
【先行技術文献】
【特許文献】
【０００３】
【特許文献１】特開２０１１−１４３５４０号公報
【発明の概要】
【発明が解決しようとする課題】
【０００４】
しかしながら、前記従来の画像形成装置においては、複数段階のセキュリティレベルの１つのセキュリティレベルを示す二次元コードのみを選択して、複数枚の原稿が集約された用紙に付加するようになっているので、集約された複数枚の原稿を再度コピーして複数枚の用紙にそれぞれ印刷する場合には、それぞれの原稿に、元来のセキュリティレベルとは異なるセキュリティレベルを示す二次元コードが付加されてしまうことがある。
【０００５】
本発明は、前記従来の画像形成装置における問題点を解決して、複数の媒体のセキュリティ表示コードを含むページ画像を１枚の媒体に集約印刷するときには、最も高いセキュリティレベルのセキュリティ表示コードを付加し、集約印刷された媒体のページ画像を分割印刷する場合には、元来のセキュリティレベルを示すセキュリティ表示コードを付加するようにして、集約印刷されたページ画像を再分割しても、元来のセキュリティレベルを正確に表示することができる画像形成装置を提供することを目的とする。
【課題を解決するための手段】
【０００６】
そのために、本発明の画像形成装置においては、媒体のページ画像を読み取る画像読取部と、前記ページ画像に含まれるセキュリティ表示コードを読み取るコード読取部と、前記ページ画像を集約印刷及び分割印刷するための画像処理を行う画像処理部と、前記ページ画像に含まれるセキュリティ表示コードを生成するコード生成部と、前記画像処理部が画像処理を行ったページ画像と前記コード生成部が生成したセキュリティ表示コードとを合成して媒体に印刷する印刷部と、前記画像読取部、コード読取部、画像処理部、コード生成部及び印刷部の動作を制御する制御部とを備える画像形成装置であって、前記制御部は、複数の媒体のページ画像を単数の媒体に集約印刷する場合、前記複数の媒体のページ画像に含まれるセキュリティ表示コードが示すセキュリティレベルのうちで最も高いセキュリティレベルを示すセキュリティ表示コードを前記コード生成部に生成させ、集約印刷された媒体のページ画像を複数の媒体に分割印刷する場合、元来のページ画像に含まれるセキュリティ表示コードが示すセキュリティレベルを示すセキュリティ表示コードを前記コード生成部に生成させる。
【発明の効果】
【０００７】
本発明によれば、画像形成装置は、複数の媒体のセキュリティ表示コードを含むページ画像を１枚の媒体に集約印刷するときには、最も高いセキュリティレベルのセキュリティ表示コードを付加し、集約印刷された媒体のページ画像を分割印刷する場合には、元来のセキュリティレベルを示すセキュリティ表示コードを付加するようになっている。これにより、集約印刷されたページ画像を再分割しても、元来のセキュリティレベルを正確に表示することができる。
【図面の簡単な説明】
【０００８】
【図１】本発明の実施の形態におけるコピー機の機能構成を示すブロック図である。
【図２】本発明の実施の形態における集約印刷及び分割印刷の例を説明する図である。
【図３】本発明の実施の形態における二次元コードのデータ構成を示す図である。
【図４】本発明の実施の形態におけるコピー機の動作を示すフローチャートである。
【発明を実施するための形態】
【０００９】
以下、本発明の実施の形態について図面を参照しながら詳細に説明する。
【００１０】
図１は本発明の実施の形態におけるコピー機の機能構成を示すブロック図、図２は本発明の実施の形態における集約印刷及び分割印刷の例を説明する図である。なお、図２において、（ａ）はオリジナルの原稿を示す図、（ｂ）は集約印刷された記録用紙を示す図、（ｃ）は分割印刷された記録用紙を示す図である。
【００１１】
図において、１０は、本実施の形態における画像形成装置としてのコピー機である。該コピー機１０は、媒体としての原稿３１ａに形成された画像データであるページ画像２２を読み取ることができるとともに、媒体としての記録用紙３１ｂに読み取ったページ画像２２を印刷することができるものであれば、いかなる種類のものであってもよく、例えば、スキャナ、プリンタ、ファクシミリ機及びコピー機の機能を併せ持つ複合型プリンタ（ＭＦＰ）であってもよい。また、前記コピー機１０は、図２（ａ）に示されるような複数の原稿３１ａ１〜３１ａ４に形成されたページ画像２２を、図２（ｂ）に示されるような記録用紙３１ｂに集約する集約印刷を行うことができるとともに、記録用紙３１ｂに形成されたページ画像２２を図２（ｃ）に示されるような記録用紙３１ｃ１及び３１ｃ２に分割する分割印刷を行うことができる。
【００１２】
なお、図２（ａ）には、例として、４枚のオリジナルの原稿３１ａ１〜３１ａ４が示されているが、その枚数は、適宜変更することができ、統合的に説明する場合には原稿３１ａとして説明する。また、図２（ｂ）に示される記録用紙３１ｂは、分割印刷の際には原稿となる。さらに、図２（ｃ）には、例として、記録用紙３１ｂのページ画像２２が分割印刷された２枚の記録用紙３１ｃ１及び３１ｃ２が示されているが、統合的に説明する場合には記録用紙３１ｃとして説明する。さらに、前記原稿３１ａ、並びに、記録用紙３１ｂ及び３１ｃを統合的に説明する場合には、媒体３１として説明する。
【００１３】
ここで、前記コピー機１０は、入力部１１と、表示部１２と、制御部１３と、画像読取部としての原稿読取部１４と、コード読取部としての二次元コード読取部１５と、画像処理部１６と、コード生成部としての二次元コード生成部１７と、印刷部１８と、記憶部２０とを有する。
【００１４】
前記入力部１１は、コピー機１０の操作パネル上のテンキー等の各種スイッチやボタン、液晶タッチパネル等から成り、利用者による入力を受け付ける。
【００１５】
前記表示部１２は、液晶表示パネル等から成り、利用者による入力に対する反応結果等の各種の情報を利用者に対して表示する。
【００１６】
前記制御部１３は、演算処理部としてのＣＰＵ（Ｃｅｎｔｒａｌ  Ｐｒｏｃｅｓｓｉｎｇ  Ｕｎｉｔ）等を含み、記憶部２０に記憶された各種プログラムやデータに基づいて、コピー機１０の各部の動作を制御する。
【００１７】
前記原稿読取部１４は、原稿３１ａをセットするフラットベッドや自動原稿送り装置、読取ヘッド等から成り、原稿３１ａに形成された画像データをページ画像２２として読み取る。
【００１８】
前記二次元コード読取部１５は、コード識別部として機能し、原稿３１ａにページ画像２２から該ページ画像２２のセキュリティレベルを示すセキュリティ表示コードとしてのＱＲコード（Ｒ）のような二次元コード３５ａ１〜３５ａ４を識別して読み取る。なお、二次元コード３５ａ１〜３５ａ４を統合的に説明する場合には二次元コード３５ａとして説明する。また、記録用紙３１ｂ及び３１ｃのページ画像２２も二次元コード３５ｂ、３５ｃ１及び３５ｃ２を含んでいる。二次元コード３５ｃ１及び３５ｃ２を統合的に説明する場合には二次元コード３５ｃとして説明する。さらに、二次元コード３５ａ、３５ｂ及び３５ｃを統合的に説明する場合には二次元コード３５として説明する。
【００１９】
なお、セキュリティ表示コードは、例えば、印刷可能、印刷のときに印刷の可否を要確認、印刷不可等の画像データのセキュリティレベルを含むセキュリティ情報２３を表示可能なコードであれば、例えば、ＪＡＮコードであってもよく、いかなる種類のものであってもよいが、本実施の形態においては、説明の都合上、二次元コード３５であるものとして説明する。
【００２０】
前記画像処理部１６は、集約印刷及び分割印刷するための画像処理を行う。例えば、原稿読取部１４が読み取ったページ画像２２を拡大及び縮小したり、複数のページ画像２２を１枚の記録用紙３１ｂに印刷できるようにページ画像２２を配置したり、１つのページ画像２２を複数の記録用紙３１ｃに分割して印刷できるようにページ画像２２を分割したりする画像処理を行う。
【００２１】
前記二次元コード生成部１７は、記録用紙３１ｂ及び３１ｃのページ画像２２に含まれる二次元コード３５ｂ及び３５ｃを生成する。
【００２２】
前記印刷部１８は、記録用紙３１ｂ及び３１ｃの片面又は両面にページ画像２２を印刷する印刷装置から成る。該印刷装置は、電子写真式印刷装置、インパクト・ドット方式印刷装置、インクジェット方式印刷装置、熱転写式印刷装置等いかなる種類の印刷装置であってもよく、さらに、モノクロ印刷装置であってもよいし、カラー印刷装置であってもよい。本実施の形態において、印刷部１８は、画像処理部１６が処理を行ったページ画像２２に、二次元コード生成部１７が生成した二次元コードを合成する二次元コード合成部としても機能し、合成した画像データを記録用紙３１ｂ及び３１ｃに印刷する。また、複数の媒体３１のページ画像２２を単数の媒体３１に集約印刷する場合、印刷部１８は、複数の媒体３１のページ画像２２を、単数の媒体３１の片面又は両面に印刷する。
【００２３】
前記記憶部２０は、例えば、ＲＡＭ（Ｒａｎｄｏｍ  Ａｃｃｅｓｓ  Ｍｅｍｏｒｙ）等のメモリやＨＤＤ（Ｈａｒｄ  Ｄｉｓｋ  Ｄｒｉｖｅ）から成り、制御部１３が使用するプログラム、原稿読取部１４が使用する読取設定２１、原稿読取部１４が読み取ったページ画像２２、二次元コード読取部１５が読み取った二次元コード３５に含まれるセキュリティ情報２３、印刷部１８が使用する印刷設定２４等を記憶する。なお、前記読取設定２１は、原稿読取部１４が媒体３１に形成された画像データをページ画像２２として読み取る際の読み取り解像度、読み取り濃度、両面読み取り等の設定事項であり、利用者が入力部１１を操作して設定する。
【００２４】
また、前記印刷設定２４は、印刷枚数、拡大率、縮小率、記録用紙３１ｂ及び３１ｃのサイズ、原稿読取部１４が読み取った２つのページ画像２２を１枚の記録用紙３１ｂに印刷する２−ｕｐ印刷、原稿読取部１４が読み取った４つのページ画像２２を１枚の記録用紙３１ｂに印刷する４−ｕｐ印刷、原稿読取部１４が読み取ったＮ（Ｎ＝自然数）個のページ画像２２を１枚の記録用紙３１ｂに印刷するＮ−ｕｐ印刷、原稿読取部１４が読み取った２つのページ画像２２を１枚の記録用紙３１ｂの両面に印刷する両面印刷等の集約印刷、原稿読取部１４が読み取った１つのページ画像２２を複数枚の記録用紙３１ｃに印刷する分割印刷のような設定事項であり、利用者が入力部１１を操作して設定する。
【００２５】
なお、図２（ａ）及び（ｂ）には、原稿読取部１４が読み取った４枚の原稿３１ａ１〜３１ａ４のページ画像２２を１枚の記録用紙３１ｂに印刷する４−ｕｐ印刷の例が示されている。また、図２（ｂ）及び（ｃ）には、原稿読取部１４が読み取った１枚の原稿である記録用紙３１ｂのページ画像２２を２枚の記録用紙３１ｃ１及び３１ｃ２に分割して印刷する分割印刷の例が示されている。
【００２６】
本実施の形態において、制御部１３は、複数の媒体３１のページ画像２２を単数の媒体３１に集約印刷する場合、複数の媒体３１のページ画像２２に含まれる二次元コード３５が示すセキュリティレベルのうちで最も高いセキュリティレベルを示す二次元コード３５を二次元コード生成部１７に生成させ、集約印刷された媒体３１のページ画像２２を複数の媒体３１に分割印刷する場合、元来のページ画像２２に含まれる二次元コード３５が示すセキュリティレベルを示す二次元コード３５を二次元コード生成部１７に生成させるようになっている。また、制御部１３は、集約印刷された媒体３１のページ画像２２を複数の媒体３１に分割印刷する場合、複数の媒体３１の各々に複数のページ画像２２を印刷するときは、複数のページ画像２２の元来のページ画像２２に含まれる二次元コード３５が示すセキュリティレベルのうちで最も高いセキュリティレベルを示す二次元コード３５を二次元コード生成部１７に生成させる。さらに、制御部１３は、ページ画像２２が印刷される媒体３１全体のセキュリティレベルを示す二次元コード３５を二次元コード生成部１７に生成させる。
【００２７】
次に、前記構成のコピー機１０の動作について説明する。
【００２８】
図３は本発明の実施の形態における二次元コードのデータ構成を示す図、図４は本発明の実施の形態におけるコピー機の動作を示すフローチャートである。
【００２９】
まず、ステップＳ１で、記憶部２０は、コピー設定の保存を行う。具体的には、利用者が入力部１１を操作してコピー設定を指定すると、前記記憶部２０は指定されたコピー設定を記憶して保存する。なお、前記コピー設定は、前記読取設定２１及び印刷設定２４を含んでいる。
【００３０】
続いて、ステップＳ２で、原稿読取部１４は、原稿３１ａの読み取りを行う。具体的には、原稿読取部１４は、ステップＳ１で指定されたコピー設定に含まれる読取設定２１に従って、原稿３１ａに形成された画像データをページ画像２２として読み取る。読み取られたページ画像２２は、記憶部２０によって記憶されて保存される。
【００３１】
続いて、ステップＳ３で、二次元コード読取部１５は、二次元コード３５ａの読み取りを行う。具体的には、二次元コード読取部１５は、ステップＳ１で読み取られたページ画像２２から二次元コード３５ａを識別して読み取り、該二次元コード３５ａに含まれているセキュリティ情報２３等の情報を取得する。
【００３２】
続いて、ステップＳ４で、制御部１３は、セキュリティレベルは何かを判断する。具体的には、制御部１３は、ステップＳ３で取得されたセキュリティ情報２３に基づいて、ステップＳ１で読み取られたページ画像２２のセキュリティレベルを判断する。
【００３３】
ここで、該セキュリティレベルは、ステップＳ１で読み取られたページ画像２２のセキュリティのレベルであって、例えば、図３に示される二次元コード３５ａのデータ構成におけるパラメータＳの説明の欄に記載されているように、印刷可能、印刷のときに印刷の可否を要確認、及び、印刷不可の３段階に設定されている。最も低いセキュリティレベルは、その値が０であり、そのページ画像２２はコピー可能と判断される。中間のセキュリティレベルは、その値が１であり、そのページ画像２２はコピーするか否かを確認する必要があると判断される。最も高いセキュリティレベルは、その値が２であり、そのページ画像２２はコピー不可能と判断される。
【００３４】
そして、セキュリティレベルが０である場合には、前記ページ画像２２をコピーして印刷することが可能なので、ステップＳ６に移行し、セキュリティレベルが１である場合には、前記ページ画像２２をコピーして印刷してもよいか否かを確認する必要があるので、ステップＳ５に移行し、セキュリティレベルが２である場合には、前記ページ画像２２をコピーして印刷することが不可能なので、ステップＳ１１に移行する。
【００３５】
続いて、ステップＳ５で、制御部１３は、コピーするか否かを判断する。具体的には、制御部１３は、前記原稿３１ａのコピーをしてもよいか否かを利用者に問い合わせるメッセージを表示部１２に表示させる。すると、利用者は、入力部１１を操作して、前記原稿３１ａのコピーをしてもよいか否かについての回答を入力する。そして、制御部１３は、入力された利用者の回答に基づいて、前記原稿３１ａのコピーをするか否かを判断する。前記原稿３１ａのコピーをする場合にはステップＳ６に移行し、前記原稿３１ａのコピーをしない場合にはステップＳ１１に移行する。
【００３６】
続いて、ステップＳ６で、制御部１３は、セキュリティ情報２３の保存を行う。具体的には、制御部１３は、コピーをする原稿３１ａのページ画像２２のセキュリティ情報２３を、記憶部２０に記憶させて保存させる。
【００３７】
続いて、ステップＳ７で、画像処理部１６は、画像処理を行う。具体的には、画像処理部１６は、ステップＳ１で記憶部２０に保存されたコピー設定に含まれる印刷設定２４に基づいて、前記ページ画像２２の拡大処理、縮小処理等を行う。例えば、印刷設定２４にＮ−ｕｐ印刷のような集約印刷が設定されている場合には、縮小処理と配置処理とを行う。また、例えば、印刷設定２４に分割印刷が設定されている場合には、拡大処理と分割処理とを行う。
【００３８】
続いて、ステップＳ８で、制御部１３は、印刷条件を満たしているか否かを判断する。具体的には、制御部１３は、印刷設定２４にＮ−ｕｐ印刷、両面印刷等の集約印刷が設定されている場合には、画像処理部１６が集約する論理ページの数分のページ画像２２の画像処理を行ったか否かに基づいて、１枚の記録用紙３１ｂに印刷するページ画像２２が揃（そろ）っているか否かを判断する。
【００３９】
例えば、図２（ａ）及び（ｂ）に示されるような４−ｕｐ印刷の場合、ページ画像２２の画像処理を行った原稿３１ａの数が４枚であるときには印刷条件を満たしていると判断し、ページ画像２２の画像処理を行った原稿３１ａの数が４枚未満であるときには印刷条件を満たしていないと判断する。また、例えば、両面印刷であって各面に４−ｕｐ印刷を行う場合、２倍の枚数を基準に判断する。すなわち、ページ画像２２の画像処理を行った原稿３１ａの数が８枚であるときには印刷条件を満たしていると判断し、ページ画像２２の画像処理を行った原稿３１ａの数が８枚未満であるときには印刷条件を満たしていないと判断する。そして、印刷条件を満たしている場合にはステップＳ９に移行し、印刷条件を満たしていない場合にはステップＳ１１に移行する。
【００４０】
続いて、ステップＳ９で、二次元コード生成部１７は、二次元コード３５ｂの生成を行う。具体的には、制御部１３が、ステップＳ６で記憶部２０に保存されたセキュリティ情報２３に基づいて二次元コード３５ｂの生成を二次元コード生成部１７に行わせる。なお、ページ画像２２の拡大縮小率が１００％である場合には、ステップＳ３で読み取られた二次元コード３５ａをそのまま二次元コード３５ｂとして利用することができる。
【００４１】
集約印刷の場合、二次元コード生成部１７は、図３に示されるようなデータを備える二次元コード３５ｂを生成する。その際、二次元コード生成部１７は、パラメータＳの値を最も高いセキュリティレベルの値とし、パラメータＮの値は、各論理ページに対してそれぞれ異なる値となるように番号を付与する。例えば、図２（ａ）及び（ｂ）に示されるような４−ｕｐ印刷の場合、二次元コード生成部１７は、図３に示されるようなデータを備える二次元コード３５ｂを生成し、パラメータＳの値を１とし、パラメータＮの値として、各論理ページに対して１〜４の番号を付与する。したがって、図２（ｂ）に示される記録用紙３１ｂに印刷される二次元コード３５ｂによって示される記録用紙３１ｂの画像データのセキュリティレベルは、図２（ａ）に示される原稿３１ａ１〜３１ａ４に印刷された二次元コード３５ａ１〜３５ａ４によって示されるセキュリティレベルのうちで最も高いセキュリティレベル、すなわち、セキュリティレベル１である。
【００４２】
また、分割印刷の場合、二次元コード生成部１７は、記憶部２０に保存されたセキュリティ情報２３に含まれるパラメータＸ−Ｎｕｍ及びＹ−Ｎｕｍの値から、分割印刷された後のＸ−Ｎｕｍ及びＹ−Ｎｕｍの値を再計算する。さらに、二次元コード生成部１７は、パラメータＮの番号付けの値も変更し、変更した番号付けの結果に従って、パラメータＳ−０−Ｎｕｍ及びＳ−０−Ｌｉｓｔ、Ｓ−１−Ｎｕｍ及びＳ−１−Ｌｉｓｔ、並びに、Ｓ−２−Ｎｕｍ及びＳ−２−Ｌｉｓｔを更新する。
【００４３】
例えば、図２（ｂ）及び（ｃ）に示されるように、４−ｕｐ印刷が行われた記録用紙３１ｂを原稿として読み取り、ページ画像２２を２枚の記録用紙３１ｃ１及び３１ｃ２に分割して印刷する分割印刷の場合、再計算の結果、Ｘ−Ｎｕｍの値は２のままとなり、Ｙ−Ｎｕｍの値は２から１になる。また、パラメータＮの番号付けの値は、１−２−３−４から、１−２及び１−２の２つに分割される。さらに、パラメータＳ−０−Ｎｕｍ及びＳ−０−Ｌｉｓｔ、Ｓ−１−Ｎｕｍ及びＳ−１−Ｌｉｓｔ、並びに、Ｓ−２−Ｎｕｍ及びＳ−２−Ｌｉｓｔのバリエーションは２種類となる。１種類目は、Ｓ−０−Ｎｕｍ＝１及びＳ−０−Ｌｉｓｔ＝１、Ｓ−１−Ｎｕｍ＝１及びＳ−１−Ｌｉｓｔ＝２、並びに、Ｓ−２−Ｎｕｍ＝０及びＳ−２−Ｌｉｓｔ＝ＮＵＬＬであり、２種類目は、Ｓ−０−Ｎｕｍ＝２及びＳ−０−Ｌｉｓｔ＝１、２、Ｓ−１−Ｎｕｍ＝０及びＳ−１−Ｌｉｓｔ＝ＮＵＬＬ、並びに、Ｓ−２−Ｎｕｍ＝０及びＳ−２−Ｌｉｓｔ＝ＮＵＬＬである。
【００４４】
したがって、図２（ｃ）に示される記録用紙３１ｃ１及び３１ｃ２に印刷される二次元コード３５ｃ１及び３５ｃ２によって示される記録用紙３１ｃ１及び３１ｃ２の画像データのセキュリティレベルは、それぞれ、図２（ａ）に示される原稿３１ａ１及び３１ａ２に印刷された二次元コード３５ａ１及び３５ａ２によって示されるセキュリティレベルのうちで最も高いセキュリティレベル、すなわち、セキュリティレベル１、並びに、原稿３１ａ３及び３１ａ４に印刷された二次元コード３５ａ３及び３５ａ４によって示されるセキュリティレベルのうちで最も高いセキュリティレベル、すなわち、セキュリティレベル０である。
【００４５】
なお、集約印刷が行われた記録用紙３１ｂを原稿としてコピーする場合、画像の拡大縮小率と用紙サイズの拡大縮小率とが異なるときは、記録用紙３１ｃに印刷される論理ページの境界がずれるため、論理ページのセキュリティ情報はクリアされる。そのときには、パラメータＸ−Ｎｕｍ＝１及びＹ−Ｎｕｍ＝１とする。
【００４６】
続いて、ステップＳ１０で、印刷部１８は、印刷を行う。具体的には、制御部１３が、印刷部１８に、ステップＳ９で生成された二次元コード３５ｂと、ステップＳ７で画像処理が行われたページ画像２２とを合成して、記録用紙３１ｂ又は３１ｃに印刷させる。その際、記憶部２０に保存されたページ画像２２及びセキュリティ情報２３は、不要となるので、記憶部２０から削除される。
【００４７】
続いて、ステップＳ１１で、制御部１３は、次の原稿３１ａを読み取るか否かを判断する。具体的には、制御部１３は、原稿読取部１４の自動原稿送り装置に次の原稿３１ａがあるか否かに基づいて判断する。すなわち、原稿読取部１４の自動原稿送り装置に、次の原稿３１ａがある場合には読み取ると判断し、次の原稿３１ａがない場合には読み取らないと判断する。
【００４８】
なお、原稿読取部１４のフラットベッドを使用して原稿３１ａの読み取りを行う場合には、制御部１３は、前記原稿３１ａの読み取りを行うか否かを利用者に問い合わせるメッセージを表示部１２に表示させる。すると、利用者は、入力部１１を操作して、前記原稿３１ａの読み取りを行うか否かについての回答を入力する。そして、制御部１３は、入力された利用者の回答に基づいて、前記原稿３１ａの読み取りを行うか否かを判断する。
【００４９】
そして、前記原稿３１ａの読み取りを行う場合にはステップＳ２に移行し、前記原稿３１ａの読み取りを行わない場合にはステップＳ１２に移行する。
【００５０】
続いて、ステップＳ１２で、制御部１３は、印刷データが残っているか否かを判断する。具体的には、制御部１３は、記録用紙３１ｂ又は３１ｃに未だ印刷が行われていない印刷データとしてのページ画像２２が記憶部２０に残っているか否かを判断する。そして、印刷データが残っている場合にはステップＳ１３に移行し、印刷データが残っていない場合にはＥＮＤに移行する。
【００５１】
続いて、ステップＳ１３で、二次元コード生成部１７は、二次元コード３５ｂの生成を行う。具体的には、二次元コード生成部１７は、ステップＳ９と同様にして、ステップＳ６で記憶部２０に保存されたセキュリティ情報２３に基づいて二次元コード３５ｂの生成を行う。
【００５２】
続いて、ステップＳ１４で、印刷部１８は、印刷を行う。具体的には、印刷部１８は、ステップＳ１０と同様にして、ステップＳ１３で生成された二次元コード３５ｂと、ステップＳ７で画像処理が行われたページ画像２２とを合成して、記録用紙３１ｂ又は３１ｃに印刷する。
【００５３】
最後に、ＥＮＤで、コピー機１０は処理を終了する。
【００５４】
次に、フローチャートについて説明する。
ステップＳ１  記憶部２０は、コピー設定の保存を行う。
ステップＳ２  原稿読取部１４は、原稿３１ａの読み取りを行う。
ステップＳ３  二次元コード読取部１５は、二次元コード３５ａの読み取りを行う。
ステップＳ４  制御部１３は、セキュリティレベルは何かを判断する。セキュリティレベルが０である場合はステップＳ６に進み、セキュリティレベルが１である場合はステップＳ５に進み、セキュリティレベルが２である場合はステップＳ１１に進む。
ステップＳ５  制御部１３は、コピーするか否かを判断する。原稿３１ａのコピーをする場合はステップＳ６に進み、原稿３１ａのコピーをしない場合はステップＳ１１に進む。
ステップＳ６  制御部１３は、セキュリティ情報２３の保存を行う。
ステップＳ７  画像処理部１６は、画像処理を行う。
ステップＳ８  制御部１３は、印刷条件を満たしているか否かを判断する。印刷条件を満たしている場合はステップＳ９に進み、印刷条件を満たしていない場合はステップＳ１１に進む。
ステップＳ９  二次元コード生成部１７は、二次元コード３５ｂの生成を行う。
ステップＳ１０  印刷部１８は、印刷を行う。
ステップＳ１１  制御部１３は、次の原稿３１ａを読み取るか否かを判断する。原稿３１ａの読み取りを行わない場合はステップＳ１２に進み、原稿３１ａの読み取りを行う場合はステップＳ２に戻る。
ステップＳ１２  制御部１３は、印刷データが残っているか否かを判断する。印刷データが残っている場合はステップＳ１３に進み、印刷データが残っていない場合は動作を終了する。
ステップＳ１３  二次元コード生成部１７は、二次元コード３５ｂの生成を行う。
ステップＳ１４  印刷部１８は、印刷を行う。
【００５５】
このように、本実施の形態においては、集約印刷されたページ画像２２を再分割しても、元来のセキュリティレベルを示す二次元コード３５を正確に表示することができる。したがって、表示された二次元コード３５が示すセキュリティレベルに基づいて、ページ画像２２のコピーをして印刷してもよいか否かの判断を正確に行うことができる。
【００５６】
なお、本発明は前記実施の形態に限定されるものではなく、本発明の趣旨に基づいて種々変形させることが可能であり、それらを本発明の範囲から排除するものではない。
【産業上の利用可能性】
【００５７】
本発明は、画像形成装置に利用することができる。
【符号の説明】
【００５８】
１０    コピー機
１３    制御部
１４    原稿読取部
１５    二次元コード読取部
１６    画像処理部
１７    二次元コード生成部
１８    印刷部
２０    記憶部
２２    ページ画像
３１ａ、３１ａ２、３１ａ３、３１ａ４    原稿
３１ｂ、３１ｃ１、３１ｃ２    記録用紙
３５ａ１、３５ａ２、３５ａ３、３５ａ４、３５ｂ、３５ｃ１、３５ｃ２    二次元コード
【図１】
2016132144.tif 000003
【図２】
2016132144.tif 000004
【図３】
2016132144.tif 000005
【図４】
2016132144.tif 000006